(57)【要約】【課題】柔軟性のある素材で形成された育苗ポットを落下させることなく、確実に手提げすることができる育苗ポット用手提げ具を提供する。【解決手段】本考案に係る育苗ポット用手提げ具１は、表示板用の少なくとも１対のスリットを側部に備えた、柔軟性のある素材で成形された育苗ポットを手提げするために用いる育苗ポット用手提げ具であって、柔軟性および平面維持性のある素材で帯状に形成され、所定長さを有する帯状の手提げ部１１と、当該手提げ部１１の両端に係止部１２とを備えている。育苗ポット用手提げ具１の両端において、係止部１２がそれぞれ一対のスリット２１に接続され、手提げ時に、当該手提げ部１１の両端において係止爪１３とスリット２１の縁部が係合して、柔軟性のある素材で形成された育苗ポット２を落下させることなく、確実に手提げすることができる。【選択図】図７
0003154623.tif 000002
【実用新案登録請求の範囲】
【請求項１】
表示板用の少なくとも一対のスリットを側部に供えた育苗ポットを手提げするために用いる、柔軟性と平面維持性とを有する素材で帯状に成形された育苗ポット用手提げ具であって、
帯状の手提げ部と、当該手提げ部の両端にそれぞれ係止部とを有し、
前記係止部は前記スリットの縁部と係合可能な一対の鉤状の係止爪を備えており、当該両係止爪間の幅は当該スリット長よりも大きく、
当該一対のスリットに前記各係止部がそれぞれ変形して挿通され、前記両係止爪が前記スリットの縁部と係合して、該育苗ポット用手提げ具が育苗ポットの開口上方に一定の空間を保持しながら、両端が育苗ポットの両側面に着脱自在に接続可能であることを特徴とする育苗ポット用手提げ具。
【請求項２】
係止部と手提げ部との間に所定長の幅狭部を有し、当該幅狭部の幅はスリット長に対応させたものであって、前記手提げ部の幅は前記スリット長より大きいことを特徴とする請求項１に記載の育苗ポット用手提げ具。
【請求項３】
手提げ部の略端部から係止部の略中央部にかけて長手方向に切り込み形成されているフラップ部を備え、当該フラップ部は前記係止部側に自由端および前記手提げ部側に固定端を有しており、
スリットに前記係止部の一部とともに当該フラップ部の自由端が挿入され、当該フラップ部の自由端を育苗ポット側面の外側に向けて引っ張ることで、前記係止部全体が撓んで前記スリットに挿通されることを特徴とする請求項１または２に記載の育苗ポット用手提げ具。
【請求項４】
少なくとも、手提げ部に、吊り下げるべき育苗ポットに関する情報を表示する表示部を備えていることを特徴とする請求項１から３のいずれかに記載の育苗ポット用手提げ具。
【請求項５】
育苗ポット本体の対向する側面に少なくとも一対のスリットと、
請求項１から４のいずれかに記載の育苗ポット用手提げ具と、を備えていることで、手提げ可能としたことを特徴とする手提げ具付き育苗ポット。
【考案の詳細な説明】
【技術分野】
【０００１】
本考案は、柔軟性のある素材で成形された育苗ポットを手提げするために用いる育苗ポット用手提げ具および手提げ具付き育苗ポットに関する。
【背景技術】
【０００２】
育苗ポットは、育苗トレイに縦横に配列されて収容された状態で、培土が各育苗ポットに入れられ、植物が一定程度まで植生された後に、園芸店で販売されるが、植生された植物を収容した状態の育苗ポットを、購入者が持ちやすいように手提げするための育苗ポット用手提げ具があると便利であり、従来から種々のものが提案されている。
【０００３】
図９は、本考案の背景技術となる育苗ポット用手提げ具を示すもので、（ａ）はその使用状態の外観斜視図、（ｂ）は（ａ）の側面図であり、この育苗ポット用手提げ具は、特許文献１に記載されたものである。
【０００４】
この育苗ポット用手提げ具４１は、６つの開口部４２を形成する枠体で有って、枠体の中央部分に設けられた把手４５と、この下方に位置し、枠体から下方に伸びた脚部４３を有し、各開口部４２で、硬質育苗ポットＰＨの開口側上外縁を吊り下げた状態で、中央の把手４５により、硬質育苗ポットＰＨを手提げすることができるものである。
【０００５】
しかしながら、このような育苗ポット用手提げ具４１では、柔軟性のある素材で形成された軟質の育苗ポットを単体で手提げすることができない。一方、表示板用スリット付きのものが育苗ポットとして広く利用されている。このような表示板用スリット付き育苗ポットを利用して、育苗ポットを１個ずつ手提げできるものが望まれていた。
【先行技術文献】
【特許文献】
【０００６】
【特許文献１】実開平６−８７２６４号公報（図１、２）
【考案の概要】
【考案が解決しようとする課題】
【０００７】
本考案は、上記問題を解決しようとするもので、柔軟性のある素材で形成された、表示板用の少なくとも一対のスリットを側部に供えた育苗ポットを落下させることなく、１個ずつ確実に手提げすることができる育苗ポット用手提げ具を提供することを目的としている。
【課題を解決するための手段】
【０００８】
請求項１に記載の考案に係る育苗ポット用手提げ具は、表示板用の少なくとも一対のスリットを側部に供えた育苗ポットを手提げするために用いる、柔軟性と平面維持性とを有する素材で帯状に成形された手提げ具であって、
帯状の手提げ部と、当該手提げ部の両端にそれぞれ係止部とを有し、
前記係止部は前記スリットの縁部と係合可能な一対の鉤状の係止爪を備えており、当該両係止爪間の幅は当該スリット長よりも大きく、
当該一対のスリットに前記各係止部がそれぞれ変形して挿通され、前記両係止爪が前記スリットの縁部と係合して、該手提げ具が育苗ポットの開口上方に一定の空間を保持しながら、両端が育苗ポットの両側面に着脱自在に接続可能であることを特徴とする。
【０００９】
請求項２に記載の考案に係る育苗ポット用手提げ具は、係止部と手提げ部との間に所定長の幅狭部を有し、当該幅狭部の幅はスリット長に対応させたものであって、前記手提げ部の幅は前記スリット長より大きいことを特徴とする。
【００１０】
請求項３に記載の考案に係る育苗ポット用手提げ具は、手提げ部の略端部から係止部の略中央部にかけて長手方向に切り込み形成されているフラップ部を備え、当該フラップ部は前記係止部側に自由端および前記手提げ部側に固定端を有しており、
スリットに前記係止部の一部とともに当該フラップ部の自由端が挿入され、当該フラップ部の自由端を育苗ポット側面の外側に向けて引っ張ることで、前記係止部全体が撓んで前記スリットに挿通されることを特徴とする。
【００１１】
請求項４に記載の考案に係る育苗ポット用手提げ具は、少なくとも、手提げ部に、吊り下げるべき育苗ポットに関する情報を表示する表示部を備えていることを特徴とする。
【００１２】
請求項５に記載の考案に係る育苗ポット用手提げ具は、育苗ポット本体の対向する側面に少なくとも一対のスリットと、
請求項１から４のいずれかに記載の育苗ポット用手提げ具と、を備えていることで、手提げ可能としたことを特徴とする
【考案の効果】
【００１３】
請求項１に記載の育苗ポット用手提げ具によれば、手提げ部の両端に鉤状の一対の係止爪を有する係止部を備え、それ自体、柔軟性と平面維持性とを有する素材であるので、係止部の係止爪間の幅より小さいスリットに対して、係止部を変形させて当該スリットに挿通することができる。
【００１４】
挿通後、その平面維持性により、変形した係止部は元の形状に復元し、係止爪がスリット長を越えてスリットの両側にはみ出す。従って、育苗ポットにその開口下方への力が加えられた場合、係止爪とスリットの縁部とが係合する。このとき、係止爪が鉤状であるので、鉤状の係止爪がスリットの縁部に引っ掛かり、係止部はスリットから簡単に抜けることはない。
【００１５】
即ち、土等を充填した育苗ポットの手提げ時に、当該手提げ部の両端において係止爪とスリットの縁部が係合して、当該育苗ポットの自重を支えることができる。従って、柔軟性のある素材で形成された育苗ポットを落下させることなく、育苗ポットを１個ずつ確実に手提げすることができる。
【００１６】
請求項２に記載の育苗ポット用手提げ具によれば、幅狭部の幅がスリット長に対応させたものであり、手提げ部の幅がスリット長より大きいので、手提げ部と幅狭部の間に段差部を形成し、当該段差部とスリット縁部とが係合可能である。それ故、手提げ具は育苗ポットの上下方向に幅狭部の長さ分だけ自由に動くことができるように育苗ポットに接続され得る。
【００１７】
即ち、手提げ具が、育苗ポットを手提げしていない状態でも、下方にずり落ちることなく、育苗ポット開口上方に常に一定の空間を保持することができる。従って、育苗ポット上の植物と手提げ部との間に手提げのための一定の空間を設け、育苗ポットを簡単に持ち上げることができ、確実に手提げすることができる。
【００１８】
請求項３に記載の考案によれば、手提げ具にフラップ部を設け、スリットに係止部の一部とともにフラップ部の自由端を挿入し、当該フラップ部の自由端を育苗ポット側面の外側に向けて引っ張ることで係止部全体が内側に向けて撓んで、係止爪を破損するおそれなく簡単且つ確実に係止部をスリットに挿通させることができる。
【００１９】
請求項４に記載の考案によれば、吊り下げるべき育苗ポットに関する情報を表示することができ、手提げ部のスペースを有効に活用することができる。
【００２０】
請求項５に記載の手提げ付き育苗ポットによれば、柔軟性のある素材で形成された育苗ポット本体を落下させることなく、確実に手提げすることができる。
【図面の簡単な説明】
【００２１】
【図１】本考案に係る、育苗ポットを手提げするために用いる育苗ポット用手提げ具の一例の示す外観斜視図。
【図２】図１の育苗ポット用手提げ具の先端付近の拡大図であって、（ａ）はその平面図、（ｂ）はその斜視図。
【図３】表示板用のスリットを側部に供えた育苗ポットであって、（ａ）は角形状の育苗ポットの斜視図、（ｂ）は円形状の育苗ポットの斜視図。
【図４】図１の育苗ポット用手提げ具を、図２（ａ）の育苗ポットに接続した形態を示しており、(ａ)はその斜視図、（ｂ）はその正面図。
【図５】図４の育苗ポット用手提げ具と育苗ポットの接続部の拡大図であって、（ａ）は、手提げ具が育苗ポット開口上方に移動している状態の図、（ｂ）は手提げ具が育苗ポット開口下方に移動している状態の図。
【図６】図１の育苗ポット用手提げ具において、係止部をスリットに挿通させる様子を示した部分図であって、（ａ）は係止部をスリット上に配置した状態の図、（ｂ）は係止部及びフラップ部の一部がスリットに挿通されている状態の図、（ｃ）はフラップ部が引っ張られ係止部が変形している状態の図、（ｄ）は係止部がスリットに挿通された状態の図。
【図７】育苗ポットに植物が植えられた状態で図１の育苗ポット用手提げ具が使用されている所を示す外観斜視図。
【図８】（ａ）、（ｂ）は、本考案の育苗ポットを手提げするために用いる育苗ポット用手提げ具の変形例を示す図。
【図９】本考案の背景技術となる育苗ポット用手提げ具を示すもので、（ａ）はその使用状態の外観斜視図、（ｂ）は（ａ）の側面図。
【考案を実施するための形態】
【００２２】
以下に、本考案の実施の形態について、図面を用いて説明する。
【００２３】
図１は、本考案の育苗ポット用手提げ具の一例を示す平面図である。
【００２４】
[実施形態１]
図１に示された育苗ポット用手提げ具１は、表示板用の少なくとも１対のスリットを側部に備えた、柔軟性のある素材で成形された育苗ポットを手提げするために用いる育苗ポット用手提げ具であって、柔軟性および平面維持性のある素材で帯状に形成されている。当該育苗ポット用手提げ具１は、所定長さを有する帯状の手提げ部１１と、当該手提げ部１１の両端に幅狭部１４および略Ｖ字形状に形成されている係止部１２とを備えている。
【００２５】
図２に育苗ポット用手提げ具１の先端付近の拡大図を示す。係止部１２は、スリット２１の縁部に係合可能な一対の鉤状の係止爪１３を備えており、幅狭部１４から両幅方向にそれぞれ突出している。当該両係止爪間の幅Ｄ２は、後述する育苗ポット２のスリット長Ｌよりも大きく、手提げ部１１の幅Ｄ１と等しく設定されている。また、幅狭部１４の幅Ｄ３は、スリット長Ｌと対応している。幅Ｄ１は幅Ｄ３より大きいので、手提げ部１１はその両端に段差部１４ａを有している。
【００２６】
そして、育苗ポット用手提げ具１は、手提げ部１１の略端部から係止部の略中央部にかけて長手方向に切り込み形成されているフラップ部１５を備えており、当該フラップ部１５は係止部１２側に自由端１５ａ、手提げ部１１側に固定端１５ｂを有するように形成されている。
【００２７】
さらに、手提げ部１１上には、表示部１６を有しており、吊り下げるべき育苗ポットに関する情報等を表示することができる（図１参照）。
【００２８】
上述した育苗ポット用手提げ具１には、可撓性プラスチックフィルム、樹脂フィルム、紙材等を用いることが出来る。本実施形態では、ポリプロピレン樹脂を主原料とした合成紙であるユポ（登録商標）３５０を使用している。また、一対の係止爪１３、幅狭部１４および段差部１４ａは、一様な幅を有する帯状のフィルムに切欠き加工することで形成されている。
【００２９】
図３に、表示板用の少なくとも１対のスリット２１を側部に備えた、柔軟性のある素材で成形された育苗ポット２を示す。底部に連なる下側胴部２３と、下側胴部２３より大きな横断面形状を有して上側へ開口する上側胴部２２とを備えており、上側胴部２２と下側胴部２３とをつなぐ段形状の肩部２４に、複数のスリット２１が対向するように設けられている。
【００３０】
本実施形態においては、矩形状の育苗ポット２が用いられているが、育苗ポット２Ａのように円形状のものでも良い。或いは、肩部６を有さない育苗ポットに、その対向する位置にスリットを形成してもかまわない。これらの育苗ポットは、ポリプロピレンやポリエチレン等の合成樹脂からなり、市販されている。
【００３１】
上述した育苗ポットは、柔軟な素材で成形されたものだけでなく、硬質な素材で成形された硬質育苗ポットであってもよい。
【００３２】
図４（ａ）は、育苗ポット２に本考案の一例である育苗ポット用手提げ具１を取り付けたものの外観斜視図である。育苗ポット用手提げ具１の両端の係止部１２がスリット２１に挿通されている。そして、育苗ポット２の開口上方に、育苗ポット２と手提げ部１１との間に、一定の空間Ｓを有している。
【００３３】
そして、図４（ｂ）に示すとおり、幅Ｄ１と幅Ｄ２とは等しくすると、材料の歩留まりが良いが完全に同一でなくても良く、これらはスリット長Ｌより大きい。また、幅Ｄ３とスリット長Ｌとは対応している。それ故、育苗ポット用手提げ具１が育苗ポット２の開口上方Ｕに移動したとき、鉤状の係止爪１３とスリット２１の縁部とが係合し（図５（ａ））、他方、育苗ポット用手提げ具１が開口下方Ｄに移動したとき、段差部１４ａとスリット２１の縁部とが係合する（図５（ｂ））。即ち、育苗ポット用手提げ具１は上下方向に幅狭部１４の長さ分だけ自由に動くことができるように育苗ポット２に接続されている。
【００３４】
図６に、スリット２１に係止部１２を差し込むときの一連の状態を示す。まず、スリット２１に係止部１２が入るように位置合わせを行い（図６（ａ））、係止爪１３が開口上方からスリット２１の縁部と当接するまで、係止部１２の一部およびフラップ部１５の自由端１５ａをスリット２１に挿通させる（図６（ｂ））。次に、フラップ部の自由端１５ａを育苗ポット２の側面の外側方向Ａに引っ張ると、係止部１２全体がその内側に向けて撓み（図６（ｃ））、係止部１２が容易にスリット２１に挿通される（図６（ｄ））。
【００３５】
図７は、本考案の育苗ポット用手提げ具１の一例として、育苗ポットに植物が植えられた状態での使用状態を示す手提げ具付き育苗ポット３の外観斜視図である。
【００３６】
上述したように、本願考案において、育苗ポット用手提げ具１の両端において、係止部１２が育苗ポット２の表示用の一対のスリット２１に接続され、手提げ時に、当該手提げ部１１の両端において係止爪１３とスリット２１の縁部が係合して、土等を充填した育苗ポット２の自重を支えることができる。従って、本願考案の実施形態に係る育苗ポット用手提げ具１は、柔軟性のある素材で形成された育苗ポット２を落下させることなく確実に手提げすることができる。
【００３７】
［実施形態２］
図８（ａ）、（ｂ）に示すように、幅狭部を有さず幅方向に係止爪が突出した形状を有する育苗ポット用手提げ具１Ａおよび係止爪が鉤状でない育苗ポット用手提げ具１Ｂでも、同様に、本願考案の目的である、柔軟性のある素材で形成された育苗ポットを落下させることなく、確実に手提げすることができる。
【００３８】
本考案に係る育苗ポット用手提げ具および育苗ポットの大きさについては限定されることなく、自由に設定可能である。
【産業上の利用可能性】
【００３９】
本考案の育苗ポット用手提げ具は、柔軟性のある素材で形成された育苗ポットを落下させることなく、確実に手提げすることができることが要請される産業分野に用いることができる。
【符号の説明】
【００４０】
１〜１Ｂ  育苗ポット用手提げ具
１１      手提げ部
１２      係止部
１３      係止爪
１４      幅狭部
１５      フラップ部
１５ａ    自由端
１５ｂ    固定端
１６      表示部
２        育苗ポット
２１      スリット
【図１】
0003154623.tif 000003
【図２】
0003154623.tif 000004
【図３】
0003154623.tif 000005
【図４】
0003154623.tif 000006
【図５】
0003154623.tif 000007
【図６】
0003154623.tif 000008
【図７】
0003154623.tif 000009
【図８】
0003154623.tif 000010
【図９】
0003154623.tif 000011